(57)【要約】【課題】露出パネルを外したときに接続手段が通電状態のまま外部に露出することのない情報通信装置を提供する。【解決手段】情報通信装置Ａは、壁に固定される本体モジュールＭと、本体モジュールＭの前面側に着脱可能に装着され、本体モジュールＭに設けられた本体側コネクタから電力供給を受ける露出パネルＰとを備える。本体モジュールＭは、露出パネルＰに設けられている永久磁石ＭＧが所定距離範囲内に近接することによってオンするリードスイッチからなる近接スイッチＳＷを有する。近接スイッチＳＷは、本体モジュールＭに露出パネルＰを装着して本体モジュールＭに露出パネルＰが近接したときに、本体側コネクタへの通電をオンする。【選択図】図１
2009218943.tif 000002
【特許請求の範囲】
【請求項１】
電源回路および情報の授受を行う情報口を具備し壁に固定される本体モジュールと、本体モジュールの前面側に着脱可能に装着されることで本体モジュールに設けられた接続手段に電気的に接続され、電源回路から電力供給を受ける情報入力手段および情報出力手段の少なくとも一方を具備する露出パネルとを備え、本体モジュールは、露出パネルとの距離に応じて接続手段への通電をオンオフする近接スイッチを有し、近接スイッチは、本体モジュールの所定距離範囲内に露出パネルが近接したときに接続手段への通電をオンすることを特徴とする情報通信装置。
【請求項２】
前記露出パネルには永久磁石が設けられており、前記近接スイッチは、所定距離範囲内に永久磁石が近接することによってオンするリードスイッチからなることを特徴とする請求項１記載の情報通信装置。
【発明の詳細な説明】
【技術分野】
【０００１】
本発明は、壁に取り付けて使用される情報通信装置に関するものである。
【背景技術】
【０００２】
従来から、この種の情報通信装置として、たとえば宅外に設置された相手側装置としてのドアホン子器に対して信号線を用いて接続されることによりインターホンシステムを構築し、相手側装置との間で通話可能となるもの（インターホン親機）などが提供されている（たとえば特許文献１参照）。特許文献１に例示された情報通信装置は、壁内に器体の後部が埋め込まれた形で取り付けられる埋込型の情報通信装置である。
【０００３】
なお、インターホン親機として用いる情報通信装置には、映像表示部を備え、カメラが設けられた相手側装置に接続されることにより、相手側装置のカメラで撮像された映像を表示することができるものもある。
【０００４】
ところで、この種の情報通信装置に関して、電源回路を具備し壁に固定される本体モジュールと、本体モジュールの前面側に着脱可能に装着されることで本体モジュール前面側に設けられた接続手段に電気的に接続される露出パネルとに分割可能とすることが考えられる。この構成では、露出パネルは本体モジュールに設けた電源回路から電力供給を受けることとなる。
【特許文献１】特開平６−２９１８１８号公報
【発明の開示】
【発明が解決しようとする課題】
【０００５】
上述のように本体モジュールと露出パネルとを分割可能にした構成では、本体モジュールから露出パネルを外すと接続手段が通電状態のまま外部に露出することとなるが、この状態で接続手段に異物が付着すると異物を介して電流が流れ本体モジュールの故障の原因となる可能性がある。
【０００６】
本発明は上記事由に鑑みて為されたものであって、露出パネルを外したときに接続手段が通電状態のまま外部に露出することのない情報通信装置を提供することを目的とする。
【課題を解決するための手段】
【０００７】
請求項１の発明は、電源回路および情報の授受を行う情報口を具備し壁に固定される本体モジュールと、本体モジュールの前面側に着脱可能に装着されることで本体モジュールに設けられた接続手段に電気的に接続され、電源回路から電力供給を受ける情報入力手段および情報出力手段の少なくとも一方を具備する露出パネルとを備え、本体モジュールが、露出パネルとの距離に応じて接続手段への通電をオンオフする近接スイッチを有し、近接スイッチが、本体モジュールの所定距離範囲内に露出パネルが近接したときに接続手段への通電をオンすることを特徴とする。
【０００８】
この構成によれば、本体モジュールは、露出パネルとの距離に応じて接続手段への通電をオンオフする近接スイッチを有するので、露出パネルを本体モジュールから脱着した状態では接続手段への通電は自動的にオフされることとなり、したがって、接続手段が通電状態のまま外部に露出することはない。さらに、近接スイッチは本体モジュールの所定距離範囲内に露出パネルが近接したときに接続手段への通電をオンするものであるから、たとえば製品ごとに本体モジュールと露出パネルとの間の相対的な位置関係に多少のばらつきがある場合でも、露出パネルを本体モジュールに装着した状態では接続手段への通電を確実にオンさせることが可能である。
【０００９】
請求項２の発明は、請求項１の発明において、前記露出パネルには永久磁石が設けられており、前記近接スイッチが、所定距離範囲内に永久磁石が近接することによってオンするリードスイッチからなることを特徴とする。
【００１０】
この構成によれば、近接スイッチがリードスイッチからなるので、近接スイッチをオンオフ駆動するための電源は不要であって、近接スイッチがオフの状態での待機電力を低減することができる。また、近接スイッチの小型化を図ることができるという利点もある。
【発明の効果】
【００１１】
本発明は、露出パネルを外したときに接続手段が通電状態のまま外部に露出することはないという利点がある。
【発明を実施するための最良の形態】
【００１２】
以下の実施形態では、宅内の壁に取り付けられ、宅外に設置された相手側装置としてのドアホン子器に対して信号線を用いて接続されることによりインターホンシステムを構築し、相手側装置との間で通信（通話）可能となるインターホン親機を情報通信装置の一例として、本発明の情報通信装置の構成を説明する。
【００１３】
この情報通信装置は映像表示部を備えており、来訪者を撮像するカメラ部が設けられた相手側装置に接続されることにより、相手側装置のカメラ部で撮像された映像を表示することができる。なお、相手側装置は、カメラ部の他、操作入力が可能な操作部と、スピーカおよびマイクロフォンを具備し情報通信装置との通話時に音声の入出力を行う音声入出力部と、音声信号や映像信号の入出力を行う信号処理部と、信号線が接続される端子部とを有している。
【００１４】
（実施形態１）
本実施形態の情報通信装置Ａは、図２（ａ）に示すように、壁内に後部を収める形で壁に固定される本体モジュールＭと、本体モジュールＭの前面側に着脱可能に装着される露出パネルＰとを備えている。以下では、情報通信装置Ａを図２（ｂ）のように壁に取り付けた状態での上下左右を上下左右として情報通信装置Ａの構成を説明する。
【００１５】
本体モジュールＭは、図２（ａ）に示すように、前面に矩形状の開口部を有する箱状に形成されたボディ１と、ボディ１の前面に覆着されるカバー２とで構成される器体３を備え、種々の電気部品が実装されている回路基板（図示せず）が器体３内に収納された構成を有する。さらに、本体モジュールＭは、商用電源供給用の電源線が接続される電源端子部５（図４参照）と、信号線が接続される信号端子部６（図４参照）とを器体３から露出させるように背面側に備えている。ボディ１とカバー２とは、カバー２の上下方向の各端部から後方に突出した結合片８に設けた孔に、ボディ１の上下方向の両端面における前端部に設けた結合爪９をそれぞれ係合させることにより結合される。
【００１６】
露出パネルＰは、前面矩形状の薄箱状に形成されたパネルケース１０を備え、種々の電気部品が実装されている回路基板（図示せず）がパネルケース１０内に収納された構成を有する。さらに、露出パネルＰは、パネルケース１０の前壁の一部に透明な表示窓１１が配設されており、液晶パネルからなる映像表示部１２（図４参照）をパネルケース１０内における表示窓１１の後方に備えている。ここで、パネルケース１０は、前面の左寄りの位置に表示窓１１を有しており、表示窓１１の右方には小孔が多数形成されたスピーカ取付部１３が配設されるとともに、操作部１４（図４参照）を構成する操作ハンドル１５がスピーカ取付部１３の下方に配設されている。さらに、表示窓１１の左下方にはマイク用孔１６が形成され、マイク用孔１６の右方つまり表示窓１１の下方には操作部１４を構成する押釦１７が左右方向に複数個（ここでは２個）列設されている。パネルケース１０内において、スピーカ取付部１３に対応する位置にはスピーカ１８ａ（図４参照）が設けられ、マイク用孔１６に対応する位置にはマイクロフォン１８ｂ（図４参照）が設けられ、スピーカ１８ａおよびマイクロフォン１８ｂは、相手側装置５０との通話時に音声の入出力を行う音声入出力部１８を構成する。
【００１７】
ここで、本実施形態の本体モジュールＭは、壁面からの器体３の突出量を小さく抑え、且つ、一般に普及している埋込型の配線器具との外観上の統一感を出すとともに、取り付けに用いる部材の低コスト化を図るために、壁内に設置された埋込型の配線器具用の埋込ボックスＳＢを用いて壁に取り付けられる。埋込ボックスＳＢは、前面開口の箱状に形成されており、上下方向に対向する一対の内側面には、それぞれ本体モジュールＭを埋込ボックスＳＢに固定する取付ねじ（図示せず）用のねじ孔２１を有した器具固定突起２２が複数個ずつ突設されている。壁面を構成する壁材Ｗにおいて埋込ボックスＳＢに対応する部分には矩形状の施工孔２３が開設される。
【００１８】
本体モジュールＭは、この施工孔２３を通して前方から埋込ボックスＳＢに取り付けられるのであって、器体３が後部を埋込ボックスＳＢ内に収納可能な形状および寸法に形成されている。また、本実施形態では、本体モジュールＭの器体３は１連用の取付枠（図示せず）を２個まで取付可能な埋込ボックスＳＢに対応する大きさに形成されている。ここでいう１連用の取付枠とは、埋込型の配線器具用に規格化されている単位寸法の配線器具を幅方向（上下方向）に３個並べて取付可能な取付枠を意味しており、以下では、１連用の取付枠が左右方向に２個連接された寸法を「２連用」、３個連接された寸法を「３連用」と呼ぶ。すなわち、本実施形態の本体モジュールＭは２連用の埋込ボックスＳＢに取付可能な寸法に設定される。
【００１９】
より具体的に説明すると、本体モジュールＭのカバー２は、上下方向の各端面のそれぞれから互いに離れる向きに延設された一対の取付片２４を連続一体に有する。一対の取付片２４は、カバー２の左右方向の略全長にわたって形成される。各取付片２４には、埋込型の配線器具を埋込ボックスＳＢに固定する際に用いられる取付枠と同様に、取付ねじを挿通するボックス用孔２５がそれぞれ複数個（ここでは２個）ずつ形成されている。なお、各取付片２４はカバー２の他の部位に比較して前方に突出している。
【００２０】
上記構成の本体モジュールＭと露出パネルＰとのそれぞれには、互いに係合することで本体モジュールＭに露出パネルＰを装着する取付手段が設けられている。本体モジュールＭにおいては、図３（ａ）に示すように下側の取付片２４に設けた引掛孔２７と、上側の取付片２４に設けた取付孔２６とが取付手段として設けられている。引掛孔２７は左右方向に複数個並設されており、取付孔２６は一方のボックス用孔２５の両側に貫設されている。露出パネルＰにおいては、図３（ｂ）に示すように背面側の下端部であって各引掛孔２７に対応する位置からそれぞれ突出し先端部が下方に延長されており、先端部が引掛孔２７に挿入されることで引掛孔２７に引っ掛かる鉤片２９と、背面側の上端部であって各取付孔２６に対応する位置にそれぞれ突設された取付突起３０とが取付手段として設けられている。取付突起３０の先端部には上方に突出する係合爪が設けられており、係合爪は取付突起３０の基端部側ほど取付突起３０からの突出量が大きくなるように上面が傾斜している。
【００２１】
この構成により、本体モジュールＭの引掛孔２７に露出パネルＰの鉤片２９を引っ掛けた状態で、引掛孔２７を支点部として本体モジュールＭの前面の下辺周りで露出パネルＰを回転させるように露出パネルＰの上端部を本体モジュールＭ側に押し付けて、露出パネルＰの取付突起３０を本体モジュールＭの取付孔２６に挿入し、係合爪を取付孔２６に係合させれば、露出パネルＰが本体モジュールＭに装着されることとなる。
【００２２】
また、露出パネルＰは前面が３連用の埋込ボックスＳＢに取付可能な配線器具と同等の大きさに形成され、上下方向の寸法が本体モジュールＭよりやや大きく設定されている。したがって、露出パネルＰは本体モジュールＭの前面を覆う形で装着されることになる。
【００２３】
ここにおいて、情報通信装置Ａの内部回路は、本体モジュールＭと露出パネルＰとに分割して設けられている。
【００２４】
すなわち、本体モジュールＭは、図４に示すように近接スイッチＳＷを介して電源端子部５に接続され内部回路に直流電源を供給する電源回路３４（ＡＣ／ＤＣ電源部３４ａおよびＤＣ／ＤＣ電源部３４ｂ）と、情報の授受を行う情報口としての信号端子部６に接続された外部インタフェース部３７とを有している。近接スイッチＳＷについては後に詳述する。
【００２５】
一方、露出パネルＰは、図４に示すように、音声入出力部１８や映像表示部１２や操作部１４等、電源回路３４から電力供給を受け情報の入出力を行う手段（情報入力手段および情報出力手段）の他、音声入出力部１８および映像表示部１２と外部インタフェース部３７とに接続され、音声信号や映像信号の入出力を行う信号処理部３５と、操作部１４からの操作入力を受け付けて内部回路の各部の動作を制御する全体制御部３６とを備えている。信号処理部３５は、音声信号を増幅するアンプを含む音声処理部３５ａと、映像信号を復調する復調回路を含み映像表示部１２に映像を表示する映像伝送処理部３５ｂとを有している。なお、本実施形態では、信号線に音声信号と映像信号とが多重化されて伝送されており、そのため信号処理部３５には、音声処理部３５ａおよび映像伝送処理部３５ｂと外部インタフェース部３７との間に挿入され、多重化された音声信号と映像信号とを分離する多重分離部３５ｃが設けられている。
【００２６】
ここで、露出パネルＰは本体モジュールＭを接続するためのパネル側コネクタＣｐ１（図３（ｂ）参照）を有し、本体モジュールＭはパネル側コネクタＣｐ１に接続される本体側コネクタＣｍ１（図３（ａ）参照）を接続手段として有し、パネル側コネクタＣｐ１と本体側コネクタＣｍ１とを互いに接続することにより、本体モジュールＭと露出パネルＰとが互いに電気的に接続され、露出パネルＰには電源回路３４から直流電源が供給される。本体側コネクタＣｍ１には本体モジュールＭ内で外部インタフェース部３７および電源回路３４が接続されており、パネル側コネクタＣｐ１には露出パネルＰ内で全体制御部３６および信号処理部３５が接続されている。
【００２７】
本体側コネクタＣｍ１は、本体モジュールＭの器体３内の回路基板に実装されており、カバー２に設けた孔を通して本体モジュールＭの前面側に露出する。パネル側コネクタＣｐ１は本体モジュールＭに露出パネルＰを装着した状態で本体側コネクタＣｍ１と突き合わされる位置に配設されており、本体モジュールＭに露出パネルＰを装着するだけで本体側コネクタＣｍ１およびパネル側コネクタＣｐ１が互いに接触することにより本体モジュールＭと露出パネルＰとの電気的接続が完了する。したがって、本体モジュールＭに露出パネルＰを装着する作業と本体モジュールＭに露出パネルＰを電気的に接続する作業とを別々に行う場合に比べて、作業性が向上する。
【００２８】
以上説明した構成によれば、情報通信装置Ａは本体モジュールＭと露出パネルＰとに分割されているので、本体モジュールＭを共通の仕様としておくことにより、露出パネルＰのみの交換で情報通信装置Ａの機能（たとえば録画・再生機能の有無や映像表示部１２の画面サイズなど）を容易に変更することが可能となる。
【００２９】
ところで、本体モジュールＭに設けられている上記近接スイッチＳＷは電源回路３４への給電をオンオフするものであるから、この近接スイッチＳＷがオンの期間には接続手段としての本体側コネクタＣｍ１に通電され、近接スイッチＳＷがオフの期間には本体側コネクタＣｍ１への通電が停止する。ここにおいて、本実施形態の近接スイッチＳＷは、強磁性体からなる一対のリードを具備し、これらリードの軸方向に外部から磁界が作用したときに、両リードが磁化され両リード間に吸引力が生じることによりオンするリードスイッチからなる。この近接スイッチＳＷは、図１（ａ）に示すように本体モジュールＭの器体３内であって、器体３の前壁背面に接する位置に配置されている。
【００３０】
さらに、露出パネルＰには永久磁石ＭＧが設けられており、露出パネルＰを本体モジュールＭに装着したときにこの永久磁石ＭＧにより生じる磁界が近接スイッチＳＷに作用して近接スイッチＳＷをオンするように構成されている。ここでは、永久磁石ＭＧは図１（ａ）のようにパネルケース１０内において、露出パネルＰを本体モジュールＭに装着した状態で本体モジュールＭの近接スイッチＳＷに対応する位置であって、パネルケース１０の後壁前面に接する位置に配置されている。しかして、図１（ａ）のように露出パネルＰが本体モジュールＭに装着された状態では、露出パネルＰの永久磁石ＭＧは、本体モジュールＭの近接スイッチＳＷに対してパネルケース１０の後壁および器体３の前壁を隔てて近接する（近接スイッチＳＷの所定距離範囲内に位置する）から、永久磁石ＭＧにより生じた磁界が近接スイッチＳＷに作用し、近接スイッチＳＷはオンする。一方、図１（ｂ）のように露出パネルＰが本体モジュールＭから脱着された状態では、露出パネルＰの永久磁石ＭＧは本体モジュールＭの近接スイッチＳＷから離間するので、永久磁石ＭＧにより生じた磁界が近接スイッチＳＷに作用せず、近接スイッチＳＷはオフする。
【００３１】
以上説明した構成によれば、本体モジュールＭＧに設けた近接スイッチＳＷは、本体モジュールＭと露出パネルＰとの間の距離に応じて接続手段である本体側コネクタＣｍ１への通電をオンオフするので、露出パネルＰを本体モジュールＭから脱着した状態では本体側コネクタＣｍ１への通電は自動的にオフされることとなり、したがって、本体側コネクタＣｍ１が通電状態のままで外部に露出することはない。しかも、近接スイッチＳＷは本体モジュールＭの所定距離範囲内に露出パネルＰが近接するだけでオンするから、本体モジュールＭに露出パネルＰを装着した状態で本体モジュールＭと露出パネルＰとの間に隙間が生じ、且つ当該隙間の大きさに製品ごとに多少のばらつきがあるような場合でも、近接スイッチＳＷを確実にオンさせることが可能である。ここに、近接スイッチＳＷがオンするときの本体モジュールＭと露出パネルＰとの間の距離は、たとえば永久磁石ＭＧの磁束密度の大きさによって調整することができる。
【００３２】
また、本実施形態で近接スイッチＳＷはリードスイッチからなるので、近接スイッチＳＷをオンオフ駆動するための電源は不要であって、近接スイッチＳＷがオフの状態での情報通信装置Ａの待機電力（消費電力）をゼロにできるという利点がある。さらに、リードスイッチは、オンオフ操作するための操作部を有する押釦スイッチ（図示せず）などに比べて小型化が容易であるから、近接スイッチＳＷの小型化並びに情報通信装置Ａ全体の小型化を図ることができるという利点もある。さらにまた、近接スイッチＳＷは器体３から露出する必要がなく、近接スイッチＳＷの操作用の孔等を器体３に形成する必要もないので、本体側コネクタＣｍ１への通電のオンオフを可能としながらも本体モジュールＭや露出パネルＰに防滴性を付与することが可能である。
【００３３】
なお、近接スイッチＳＷは、リードスイッチに限るものではなく、たとえば、ホール素子を利用して露出パネルＰ内の永久磁石ＭＧの近接を検知する磁気センサや、露出パネルＰの背面での光の反射を利用して露出パネルＰの近接を検知する光学センサなどであってもよい。ただし、これら磁気センサや光学センサを近接スイッチＳＷに用いる場合、近接スイッチＳＷを駆動するための電源が必要になるため、近接スイッチＳＷを電源回路３４の後段に設ける必要があり、近接スイッチＳＷがオフの状態で待機電力が発生することとなる。
【００３４】
ところで、上記実施形態では、本体モジュールＭを埋込型とした情報通信装置Ａについて説明したが、本体モジュールＭは埋込型に限るものではなく、図５に示すように壁面に背面を対向させる形で壁に固定される露出型の本体モジュールＭを備えた情報通信装置Ａに本発明を適用してもよい。
【００３５】
また、上記実施形態では、インターホン親機としての情報通信装置Ａに本発明を適用する例を示したが、この例に限るものではなく、たとえば太陽光発電の発電量等の情報を監視して表示する装置など、種々の情報通信装置Ａに本発明を適用することができる。
【図面の簡単な説明】
【００３６】
【図１】本発明の実施形態１の構成を示し、（ａ）は露出パネルを装着した状態の概略断面図、（ｂ）は露出パネルを脱着した状態の概略断面図である。
【図２】同上の構成を示し、（ａ）は分解斜視図、（ｂ）は壁に取り付けた状態の斜視図である。
【図３】同上の構成を示し、（ａ）は本体モジュールの斜視図、（ｂ）は露出パネルの斜視図である。
【図４】同上の構成を示す概略ブロック図である。
【図５】同上の他の構成例を示し、（ａ）は前面側から見た斜視図、（ｂ）は背面側から見た斜視図である。
【符号の説明】
【００３７】
３４  電源回路
Ａ  情報通信装置
Ｃｍ１  本体側コネクタ（接続手段）
Ｍ  本体モジュール
ＭＧ  永久磁石
Ｐ  露出パネル
ＳＷ  近接スイッチ
【図１】
2009218943.tif 000003
【図２】
2009218943.tif 000004
【図３】
2009218943.tif 000005
【図４】
2009218943.tif 000006
【図５】
2009218943.tif 000007